(57)【要約】【課題】建築物の内部と外部の間の熱伝導を遮断できる低コストで簡便な建築物の断熱構造を提供する。【解決手段】建築物の断熱構造は、建屋７の外壁を構成する断熱壁構造物１を備える。断熱壁構造物１は、複数の柱５と、柱５に固定された横胴縁６とで構成される下地部２と、下地部２を覆うように設けられた板材３と、板材３の面に形成された断熱塗膜４とを備える。【選択図】図１
2016183470.tif 000002
【特許請求の範囲】
【請求項１】
建築物の内部と外部の間の熱の伝達を遮断する断熱構造であって、
前記建築物の外壁を構成する断熱壁構造物を備え、
前記断熱壁構造物は、
前記建築物の外周に沿って設けられる柱と、該柱における該建築物の内部側又は外部側のいずれか一方の側に固定される横胴縁とで構成される下地部と、
前記下地部の一方又は他方の側を覆うように該一方又は他方の側に設けられる板材と、
前記板材の前記下地部と反対側の面に形成される第１の断熱塗膜とを備えることを特徴とする建築物の断熱構造。
【請求項２】
前記建築物は、その上部を塞ぐ屋根と、内部に設けられた部屋とを備え、
前記断熱構造は、
前記屋根の外面に形成される第２の断熱塗膜と、
前記部屋の天井の下面に形成される第３の断熱塗膜と、
前記部屋の天井裏に設けられ、その内部を換気する換気手段とを備えることを特徴とする請求項１に記載の建築物の断熱構造。
【請求項３】
前記第２の断熱塗膜は、遮熱性を有し、前記第３の断熱塗膜は、微生物を不活化させる不活化剤を含むことを特徴とする請求項２に記載の建築物の断熱構造。
【請求項４】
前記天井裏は屋根裏であることを特徴とする請求項２又は３に記載の建築物の断熱構造。
【請求項５】
前記断熱塗膜は、粒径が１０〜８０［μｍ］で、真球の中空セラミックビーズを９０［重量％］以上含むことを特徴とする請求項１〜４のいずれか１項に記載の建築物の断熱構造。
【発明の詳細な説明】
【技術分野】
【０００１】
本発明は、建築物の内部と外部の間における熱の伝達を遮断する建築物の断熱構造に関する。
【背景技術】
【０００２】
従来、建築物の屋根や、壁、天井に断熱材を設けて、建築物の外部と内部との間の熱の移動を極力少なくし、建築物の内部空間における冷暖房の効果を高めることが行われている（例えば、特許文献１、２参照）。
【０００３】
また、植物栽培用の建屋は、断熱的な壁層によって実質的に密閉され、密閉された空間内に温度制御設備などが設置される。すなわち、建屋内は、人工的に環境が調整され、植物の生産性が高められている（例えば、特許文献３参照）。
【０００４】
また、近年、このような建築物を利用した植物工場に食品加工工場を併設し、野菜の栽培と加工を一貫して行う事業も推進されている。食品加工工場の作業部屋内は、温度を１８℃程度に保ち、衛生的な環境に維持する必要がある。作業部屋内の温度を極力少ない電力で１８℃程度に保つためには、建屋の外壁を断熱壁で構成する必要がある。
【先行技術文献】
【特許文献】
【０００５】
【特許文献１】特開２０１１−１６９０６０号公報
【特許文献２】特開平０６−３２２８５３号公報
【特許文献３】特開平０８−１７２９３４号公報
【発明の概要】
【発明が解決しようとする課題】
【０００６】
しかしながら、このような建築物の断熱壁は、従来、上記特許文献１〜３のように、壁の外側又は内側に断熱板又は断熱材を設けて構成される。このため、建築物の建築には断熱材等の費用が余分に必要になるとともに、建築物の構造も複雑となり、建築に要する期間も長期化する。
【０００７】
本発明の目的は、かかる従来の問題点に鑑み、建築物の内部と外部の間の熱伝導を遮断できる低コストで簡便な建築物の断熱構造を提供することにある。
【課題を解決するための手段】
【０００８】
本発明の建築物の断熱構造は、建築物の内部と外部の間の熱の伝達を遮断する断熱構造であって、前記建築物の外壁を構成する断熱壁構造物を備え、前記断熱壁構造物は、前記建築物の外周に沿って設けられる柱と、該柱における該建築物の内部側又は外部側のいずれか一方の側に固定される横胴縁とで構成される下地部と、前記下地部の一方又は他方の側を覆うように該一方又は他方の側に設けられる板材と、前記板材の前記下地部と反対側の面に形成される第１の断熱塗膜とを備えることを特徴とする。
【０００９】
本発明では、断熱構造が備える断熱壁構造物の第１の断熱塗膜によって、建築物の内部と外部の間の熱の伝達が極力遮断される。そして、この断熱壁構造物は、建築物の柱に横胴縁を固定して構成される下地部に板材を設けて第１の断熱塗膜を形成するだけで構築することができる。したがって、本発明によれば、建築物の内部と外部の間の熱伝導を遮断できる低コストで簡便な建築物の断熱構造を提供することができる。
【００１０】
本発明において、前記建築物は、その上部を塞ぐ屋根と、内部に設けられた部屋とを備え、前記断熱構造は、前記屋根の外面に形成される第２の断熱塗膜と、前記部屋の天井の下面に形成される第３の断熱塗膜と、前記部屋の天井裏に設けられ、その内部を換気する換気手段とを備えてもよい。
【００１１】
これによれば、第２の断熱塗膜により、建築物の屋根の外部と内部の間の熱伝導が抑制され、さらに第３の断熱塗膜により、天井裏と部屋内との間の熱伝導が抑制されるので、建築物の内外間の断熱をより効果的に達成し、さらには建築物の部屋内を容易に所望の温度に維持することができる。
【００１２】
その際、第３の断熱塗膜により天井裏と部屋内との間に温度差が生じ、特に夏場に天井裏よりも部屋内の方が低温となる場合には、天井の上面（天井裏側）に結露が生じる恐れがある。しかし、天井裏を換気する換気手段が備えられているので、換気手段で天井裏を換気することにより、結露の発生を防止することができる。
【００１３】
本発明において、前記第２の断熱塗膜は、遮熱性を有し、前記第３の断熱塗膜は、微生物を不活化させる不活化剤を含んでいてもよい。これによれば、第１断熱塗膜により、太陽からの輻射熱が遮られるので、建築物の内外間の断熱をさらに効果的に達成し、部屋内をより低コストで所望の温度に維持することができる。また、第３の断熱塗膜により、部屋内の衛生環境を良好に維持することができる。
【００１４】
本発明において、前記天井裏は屋根裏であってもよい。天井裏が屋根裏である場合には、天井裏が天井と上階の床との間の部分である場合よりも、天井裏と部屋内との間の温度差がより顕著に生じ易い。したがって、この場合、上記の熱伝導の抑制効果及び結露の防止効果をより有効に発揮することができる。
【００１５】
本発明において、前記断熱塗膜は、粒径が１０〜８０［μｍ］で、真球の中空セラミックビーズを９０［重量％］以上含んでもよい。これによれば、断熱塗膜が、真球の中空セラミックビーズが高密度で充填された塗膜層として形成されるので、断熱塗膜による遮熱及び断熱機能をより高めることができる。したがって、建築物の内外間の断熱をより効果的に達成することができる。
【図面の簡単な説明】
【００１６】
【図１】本発明の一実施形態に係る建築物の断熱構造が備える断熱壁構造物の断面図である。
【図２】図１の断熱壁構造物の下地部を示す斜視図である。
【図３】本発明の一実施形態に係る建屋の断面図である。
【発明を実施するための形態】
【００１７】
以下、図面を用いて本発明の実施形態を説明する。図１に示すように、実施形態の建築物の断熱壁構造物１は、下地部２と、下地部２の両側を覆うように両側にそれぞれ設けられた板材としての鉄板３と、各鉄板３の下地部２と反対側の面に形成された第１の断熱塗膜４とを備える。
【００１８】
図２に示すように、下地部２は、複数の柱５と、柱５における建築物の外部側に固定された複数の横胴縁６とで構成される。柱５は、建築物の屋根を支持しており、鋼鉄製又は木製のいずれであってもよい。横胴縁６も、鋼鉄製又は木製のいずれであってもよい。なお、図２では、下地部２の両側に設けられる鉄板３のうちの建築物の外部側に設けられたものが、併せて示されている。
【００１９】
断熱塗膜４は、断熱性に加え、赤外線等の輻射熱を反射して遮る遮熱性を有するので、特に夏の暑いときに、建築物の温度が上昇するのを抑制するのに大きな効果を示す。
【００２０】
具体的には、断熱塗膜４は、粒径が１０〜８０［μｍ］で、真球の中空セラミックビーズを９０［重量％］以上含む。断熱塗膜４としては、例えばエクセラ社から市販されているペンタガード（登録商標）又はアクシオン２５（登録商標）を使用することができる。アクシオン２５は、断熱性及び遮熱性に加えて、ウィルス、細菌、菌類等の微生物を不活化させる不活化剤を含有する。
【００２１】
このような断熱塗膜４を両側に有しているので、断熱壁構造物１は、優れた断熱性及び遮熱性を有する断熱構造を構成する。
【００２２】
図３は、図１の断熱壁構造物１を適用した建築物の一例を示す。この建築物は、食品加工工場の建屋７として使用されるものであり、食品の加工作業が行われる作業室８を有している。作業室８の温度は、衛生面や作業員の健康の観点から１８℃程度に維持される。
【００２３】
作業室８の温度を１８℃程度に維持するために、建屋７の断熱構造は、建屋７の外壁（建屋７の外側の壁）を構成する断熱壁構造物１と、建屋７の屋根９の外面に形成された第２の断熱塗膜１０と、作業室８の天井１１の下面に塗布された第３の断熱塗膜１２と、作業室８の天井裏１３に設けられ、天井裏１３を換気する換気手段１４とを備える。
【００２４】
本実施形態では、建屋７は一階建てであり、作業室８の天井裏１３は屋根裏となっている。また、建屋７の軒裏１５にも第２の断熱塗膜１０が形成される。また、建屋７の外壁を構成する断熱壁構造物１は、作業室８の壁を構成している。
【００２５】
断熱塗膜１０は、断熱性に加え、赤外線等の輻射熱を反射して遮る遮熱性を有する。したがって、特に夏の暑いときに、建屋７の温度が上昇するのを抑制するのに大きな効果を示す。
【００２６】
断熱塗膜１２は、断熱性に加え、ウィルス、細菌、菌類等の微生物を不活化させる不活化剤を含有する。すなわち、断熱塗膜１２は、作業室８の天井１１の下面に形成されているので、不活化剤の抗菌・防カビ効果により、天井１１下面の菌類等を不活化し、作業室８内を衛生的に保つ機能を有する。
【００２７】
具体的には、断熱塗膜１０及び断熱塗膜１２は、粒径が１０〜８０［μｍ］で、真球の中空セラミックビーズを９０［重量％］以上含む。断熱塗膜１０としては、例えば、エクセラ社から市販されているペンタガード（登録商標）を使用することができる。断熱塗膜１２としては、例えば、エクセラ社から市販されているアクシオン２５（登録商標）を使用することができる。
【００２８】
換気手段１４は、天井裏１３と建屋７の外部との間で換気を行うものであり、天井裏１３の水蒸気を含む空気を外部に排出し、外部のより乾燥した空気を導入することにより、天井１１の上面（天井裏１３側の面）で生じ易い結露の発生を防止する。この目的で使用できるものであれば、換気手段１４としては、軸流ファン、遠心ファン等の各種形式のファンを用いた換気扇を使用することができる。
【００２９】
この構成において、建屋７の作業室８内で食品の加工作業を行う際には、建屋７で構成される食品加工工場に併設された完全閉鎖型の植物工場から、そこで栽培された野菜が、建屋外部を経由することなく、作業室８内に搬入される。搬入された野菜は、作業室８内で、加工されて製品化される。その間、作業室８内の温度は、１８℃程度に保たれる。また、換気手段１４により、天井裏１３の換気が行われる。
【００３０】
作業室８内の温度を１８℃程度に維持することは、作業室８と外気との間に介在する断熱壁構造物１、断熱塗膜１０及び断熱塗膜１２の遮熱及び断熱効果により外部との熱の伝達が抑制されているので、比較的簡便な空調設備により、低コストで行われる。
【００３１】
また、作業室８内の温度が１８℃程度に維持されるので、気温が３０℃となるような夏場には、建屋７の外部と作業室８との温度差が大きくなる。そして、断熱塗膜１０は、遮熱性及び断熱性を有するので、その性能に応じて、天井裏１３の温度の上昇を抑制する。
【００３２】
ただし、断熱塗膜１２により天井裏１３と作業室８との間の熱の移動が抑制されているので、天井裏１３と作業室８との間でも、ある程度の温度差が生じる。このため、天井１１の上面（天井裏１３側の面）に結露が生じるおそれがある。しかし、天井裏１３は、換気手段１４により換気されるので、かかる結露の発生は防止される。
【００３３】
また、作業室８の天井の下面には、不活化剤を含む断熱塗膜１２が形成されているので、作業室８内でのウィルス、細菌、菌類等の微生物の増殖が抑制される。したがって、作業室８内では、衛生環境が良好に維持された状態で、野菜を製品に加工する作業が行われる。
【００３４】
以上のように、本実施形態によれば、柱５に横胴縁６を固定した下地部２に鉄板３を設け、鉄板３の面に断熱塗膜４を形成した断熱壁構造物１を用いて断熱構造を構築したので、建築物の断熱構造を低コストで、かつ簡便な工程で構成することができる。
【００３５】
また、建屋７の外壁を断熱壁構造物１で構成し、屋根９の外面及に断熱塗膜１０を形成し、作業室８の天井１１の下面に断熱塗膜１２を形成したので、容易かつ低コストで作業室８を１８℃程度に維持することができる。また、天井裏１３を換気する換気手段１４を設けたので、天井裏１３に結露が発生するのを防止することができる。
【００３６】
また、天井裏１３が屋根裏である場合には、建屋７の外部から屋根９を介して建屋７の内部に伝達される熱は、断熱塗膜１０によりその伝達が抑制されるが、直ちに天井裏１３の温度を上昇させる原因となる。このため、夏場には、天井裏１３の温度が高くなる傾向にあるので、天井裏１３と作業室８との温度差がより大きくなり、天井１１の上面に結露が生じ易い。しかし、この場合も、換気手段１４により天井裏１３が換気されるので、結露の発生を確実に防止することができる。
【００３７】
また、断熱壁構造物１及び断熱塗膜１０は、遮熱性を有するので、特に太陽から建屋７に送られる大量の輻射熱を阻止することができる。また、建屋７内部の熱が輻射熱となって建屋７外部に放散されるのを極力阻止することができる。したがって、より低コストで簡便な空調設備により、作業室８内を１８℃程度に維持することができる。
【００３８】
また、天井１１の下面に形成される断熱塗膜１２は、不活化剤を含むので、作業室８内のウィルス、細菌、菌類等の微生物を不活化させ、作業室８内の衛生環境を良好に維持し、良好な衛生環境下での食品加工を可能にする。
【００３９】
また、断熱壁構造物１の両側の断熱塗膜４、断熱塗膜１０及び断熱塗膜１２は、粒径が１０〜８０［μｍ］で、真球の中空セラミックビーズを９０［重量％］以上含み、該セラミックビーズが高密度で充填された塗膜層を形成しているので、遮熱性能及び断熱性能に優れている。したがって、建屋７の外部と作業室８との間の熱の伝達をより効果的に阻止し、さらに低コストで簡便な空調設備により、作業室８内を１８℃程度に維持することができる。
【００４０】
なお、本発明は上記実施形態に限定されない。例えば、断熱壁構造物１は、下地部２の一方の側のみを鉄板３で覆い、該一方の側にのみ断熱塗膜４を形成するようにしてもよい。また、下地部２を構成する横胴縁６は、柱５に対して、建築物の内部側（作業室８側）に固定してもよい。
【００４１】
また、断熱塗膜４、断熱塗膜１０及び断熱塗膜１２に含まれるセラミックビーズは、真球でなくてもよいし、中空でなくてもよい。また、断熱塗膜４や断熱塗膜１０は、屋根９の内面にも形成してもよい。また、下地部２と鉄板３との間に、耐火用のせっこうボードを設けてもよい。
また、断熱壁構造物１の作業室８側の断熱塗膜４として、不活化剤を含む断熱塗膜１２と同様のものを形成してもよい。また、作業室８は、複数であってもよいし、上階の作業室８とその下階の作業室８が存在してもよい。この場合、下階の作業室８の天井裏は、上階の作業室８との間に存在する。この場合も、各作業室８の天井１１下面の断熱塗膜１２により、その断熱効果及び防菌・防カビ効果による上述の利点が発揮される。
【符号の説明】
【００４２】
１…断熱壁構造物、２…下地部、４、１０、１２…断熱塗膜、５…柱、６…横胴縁、７…建屋（建築物）、８…作業室（部屋）、９…屋根、１１…天井、１３…天井裏、１４…換気手段。
【図１】
2016183470.tif 000003
【図２】
2016183470.tif 000004
【図３】
2016183470.tif 000005